(57)【要約】【課題】支軸を固定ドラムに対して高精度に位置決めして固定することにより回転ドラムの回転精度の向上を図る。【解決手段】回転ドラムの組み立て装置２００は基台１００を備え、基台１００には、固定ドラム２２が載置されるブロック部１１０と、温度昇降手段としての不図示のヒータと、固定ドラム２２および支軸２４の位置決めを行う位置決め部材１２０と、位置決め部材１２０を昇降する不図示の第１の昇降手段と、固定ドラム２２をブロック部１１０に対して固定する不図示の固定手段と、支軸２４および軸受け３６ａ、３６ｂを昇降する第２の昇降手段１３０とが設けられている。【選択図】        図７
2006012288.tif 000002
【特許請求の範囲】
【請求項１】
磁気テープが案内される円筒面状の案内面とこの案内面の半径方向内側に設けられた筒状のハウジング部とを有する固定ドラムと、
前記ハウジング部に軸受けを介して回転可能に支持される支軸と、
前記支軸に前記支軸と一体回転可能に結合され前記磁気テープが案内される円筒面状の案内面と該案内面に設けられた磁気ヘッドを有する回転ドラムと備える回転ヘッドの組み立て方法であって、
前記ハウジング部を加熱してその内周面を拡径させた状態とし、この拡径された前記内周面の中心軸が所定の基準軸と一致するように前記固定ドラムを位置決め固定する固定ドラムの位置決め固定ステップと、
前記軸受けが嵌装された前記支軸を、前記支軸の中心軸が前記基準軸と一致するように前記支軸を位置決めしつつ前記軸受けを前記ハウジング部に挿入する挿入ステップと、
前記ハウジング部の温度を下げ前記ハウジング部の内周面に前記軸受けの外周面を嵌合固定する温度下降ステップと、
を含むことを特徴とする回転ヘッドの組み立て方法。
【請求項２】
磁気テープが案内される円筒面状の案内面とこの案内面の半径方向内側に設けられた筒状のハウジング部とを有する固定ドラムと、
前記ハウジング部に軸受けを介して回転可能に支持される支軸と、
前記支軸に前記支軸と一体回転可能に結合され前記磁気テープが案内される円筒面状の案内面と該案内面に設けられた磁気ヘッドを有する回転ドラムと備える回転ヘッドの組み立て方法であって、
前記ハウジング部の外径よりも大きい内径の中心孔と、この中心孔の周囲に延在する平坦な環状の載置面と、前記固定ドラムの案内面よりも小さい外周面とを有する環状のブロック部を設け、
前記ハウジング部を加熱してその内周面を拡径させた状態とし前記固定ドラムの前記案内面の半径方向の内側部分を前記載置面に載置するとともに、この拡径された前記内周面の中心軸が所定の基準軸と一致させて前記案内面の半径方向の内側部分を前記載置面に固定する固定ドラムの位置決め固定ステップと、
前記軸受けが嵌装された前記支軸を、前記支軸の中心軸が前記基準軸と一致するように前記支軸を位置決めしつつ前記軸受けを前記ハウジング部に挿入する挿入ステップと、
前記ハウジング部の温度を下げ前記ハウジング部の内周面に前記軸受けの外周面を嵌合固定する温度下降ステップと、
を含むことを特徴とする回転ヘッドの組み立て方法。
【請求項３】
磁気テープが案内される円筒面状の案内面とこの案内面の半径方向内側に設けられた筒状のハウジング部とを有する固定ドラムと、
前記ハウジング部に軸受けを介して回転可能に支持される支軸と、
前記支軸に前記支軸と一体回転可能に結合され前記磁気テープが案内される円筒面状の案内面と該案内面に設けられた磁気ヘッドを有する回転ドラムと備える回転ヘッドの組み立て方法であって、
前記支軸の先部が隙間無く挿入される挿入孔と、加熱され拡径された状態の前記ハウジング部の内周面が隙間無く嵌合される外周面とが同軸上に設けられた位置決め部材を、それら挿入孔および外周面の中心軸に沿って移動可能に設け、
前記ハウジング部を加熱してその内周面を拡径させた状態とし、前記位置決め部材の外周面を前記ハウジング部の内周面に挿入し、この状態で前記固定ドラムを位置決め固定する固定ドラムの位置決め固定ステップと、
前記固定ドラムの位置決め固定ステップの後に前記位置決め部材を前記ハウジング部から抜き出す第１の抜き出しステップと、
前記軸受けが嵌装された前記支軸を、前記位置決め部材が位置する箇所とは反対の方向から前記ハウジング部に挿入し、前記支軸の先部を前記位置決め部材の挿入孔に挿入する挿入ステップと、
前記ハウジング部の温度を下げ前記ハウジング部の内周面に前記軸受けの外周面を嵌合固定する温度下降ステップと、
前記温度下降ステップの後に前記支軸の先部を前記位置決め部材の挿入孔から抜き出す第２の抜き出しステップと、
を含むことを特徴とする回転ヘッドの組み立て方法。
【請求項４】
磁気テープが案内される円筒面状の案内面とこの案内面の半径方向内側に設けられた筒状のハウジング部とを有する固定ドラムと、
前記ハウジング部に軸受けを介して回転可能に支持される支軸と、
前記支軸に前記支軸と一体回転可能に結合され前記磁気テープが案内される円筒面状の案内面と該案内面に設けられた磁気ヘッドを有する回転ドラムと備える回転ヘッドの組み立て方法であって、
前記ハウジング部の外径よりも大きい内径の中心孔と、この中心孔の周囲に延在する平坦な環状の載置面と、前記固定ドラムの案内面よりも小さい外周面とを有する環状のブロック部を設け、
前記支軸の先部が隙間無く挿入される挿入孔と、加熱され拡径された状態の前記ハウジング部の内周面が隙間無く嵌合される外周面とが同軸上に設けられた位置決め部材を、それら挿入孔および外周面の中心軸に沿って移動可能に設け、
前記ハウジング部を加熱してその内周面を拡径させた状態とし前記固定ドラムの前記案内面の半径方向の内側部分を前記載置面に載置するとともに、前記位置決め部材を前記ハウジング部に近づけて前記位置決め部材の外周面を前記ハウジング部の内周面に挿入し、この状態で前記案内面の半径方向の内側部分を前記載置面に固定する固定ドラムの位置決め固定ステップと、
前記固定ドラムの位置決め固定ステップの後に前記位置決め部材を前記ハウジング部から抜き出す第１の抜き出しステップと、
前記軸受けが嵌装された前記支軸を、前記位置決め部材が位置する箇所とは反対の方向から前記ハウジング部に挿入し、前記支軸の先部を前記位置決め部材の挿入孔に挿入する挿入ステップと、
前記ハウジング部の温度を下げ前記ハウジング部の内周面に前記軸受けの外周面を嵌合固定する温度下降ステップと、
前記温度下降ステップの後に前記支軸の先部を前記位置決め部材の挿入孔から抜き出す第２の抜き出しステップと、
を含むことを特徴とする回転ヘッドの組み立て方法。
【請求項５】
前記温度下降ステップにより前記ハウジング部の内周面に前記軸受けの外周面を嵌合固定させた後、前記ハウジング部の内周面と前記軸受けの外周面とを接着剤で固定する接着ステップを有することを特徴とする請求項１乃至４に何れか１項記載の回転ヘッドの組み立て方法。
【請求項６】
前記ハウジング部の加熱は前記固定ドラムの位置決め固定ステップの前に予め行われるとともに前記温度下降ステップまで継続して行われることを特徴とする請求項１乃至４に何れか１項記載の回転ヘッドの組み立て方法。
【請求項７】
磁気テープが案内される円筒面状の案内面とこの案内面の半径方向内側に設けられた筒状のハウジング部とを有する固定ドラムと、
前記ハウジング部に軸受けを介して回転可能に支持される支軸と、
前記支軸に前記支軸と一体回転可能に結合され前記磁気テープが案内される円筒面状の案内面と該案内面に設けられた磁気ヘッドを有する回転ドラムと備える回転ヘッドの組み立て装置であって、
前記ハウジング部の外径よりも大きい内径の中心孔と、この中心孔の周囲に延在する平坦な環状の載置面と、前記固定ドラムの案内面よりも小さい外周面とを有する環状のブロック部と、
前記支軸の先部が隙間無く挿入される挿入孔と、加熱され拡径された状態の前記ハウジング部の内周面が隙間無く嵌合される外周面とが同軸上に設けられ前記中心孔に配置された位置決め部材と、
前記位置決め部材を前記中心孔内で該中心孔の軸方向に昇降させる第１の昇降手段と、
前記固定ドラムの前記案内面の半径方向の内側部分を前記載置面に載置した状態に固定する固定手段と、
前記軸受けが嵌装された前記支軸を、前記位置決め部材が位置する箇所とは反対の方向から前記ハウジング部に挿入し、前記支軸の先部を前記位置決め部材の挿入孔に挿入する第２の昇降手段と、
前記ハウジング部の温度の昇降を行う温度昇降手段と、
を備えることを特徴とする回転ヘッドの組み立て装置。
【発明の詳細な説明】
【技術分野】
【０００１】
本発明は回転ヘッドの組み立て方法および組み立て装置に関する。
【背景技術】
【０００２】
ビデオテープレコーダー（ＶＴＲ）に代表されるヘリカルスキャン方式の磁気記録再生装置は回転ヘッドを備えている。
回転ヘッドは、固定ドラムと回転ドラムを同軸上に配置し、これら固定ドラムと回転ドラムの外周部にわたって斜めに磁気テープを巻き付けて所定の速度で走行させるとともに、固定ドラムに対して回転ドラムを回転駆動すると、この回転ドラムの外周部に設けられている磁気ヘッドが磁気テープ上を斜めに走査しこれによってヘリカルスキャン方式の記録および／または再生がなされる。
このような回転ヘッドとして、例えば図３に示すように、固定ドラム２２が上下一対の軸受け２６ａ、２６ｂを介して支軸２４を回転自在に支持し、この支軸２４に回転ドラム２１が一体的に固定され、これにより、回転ドラム２１が固定ドラム２２に対して回転自在に支持されるものが提供されている（例えば特許文献１参照）。
このような従来の回転ヘッドでは、軸受け２６ａ、２６ｂを固定ドラム２２に設けられたこのハウジング部３５に嵌合して接着剤で固定することにより軸受け２６ａ、２６ｂを固定ドラム２２に固定している。
【特許文献１】特開２００４−７９０１９号公報
【発明の開示】
【発明が解決しようとする課題】
【０００３】
このように構成される回転ヘッドにおいては、回転ドラム２１の磁気ヘッドによって磁気テープに対して信号の記録および再生に関わる特性の向上を図るためには、回転ドラム２１の回転精度を向上させる必要がある。
回転ドラム２１の回転精度を向上させるためには、回転ドラム２１と固定ドラム２２の中心軸を高精度に一致させることが要求され、そのためには、支軸２４を固定ドラム２２に対して高精度に位置決めして固定することが必要である。
本発明は、このような事情に鑑みなされたものであり、その目的は、支軸を固定ドラムに対して高精度に位置決めして固定することにより回転ドラムの回転精度の向上を図る上で有利な回転ヘッドの組み立て装置および組み立て方法を提供することにある。
【課題を解決するための手段】
【０００４】
上述の目的を達成するため、本発明は、磁気テープが案内される円筒面状の案内面とこの案内面の半径方向内側に設けられた筒状のハウジング部とを有する固定ドラムと、前記ハウジング部に軸受けを介して回転可能に支持される支軸と、前記支軸に前記支軸と一体回転可能に結合され前記磁気テープが案内される円筒面状の案内面と該案内面に設けられた磁気ヘッドを有する回転ドラムと備える回転ヘッドの組み立て方法であって、前記ハウジング部を加熱してその内周面を拡径させた状態とし、この拡径された前記内周面の中心軸が所定の基準軸と一致するように前記固定ドラムを位置決め固定する固定ドラムの位置決め固定ステップと、前記軸受けが嵌装された前記支軸を、前記支軸の中心軸が前記基準軸と一致するように前記支軸を位置決めしつつ前記軸受けを前記ハウジング部に挿入する挿入ステップと、前記ハウジング部の温度を下げ前記ハウジング部の内周面に前記軸受けの外周面を嵌合固定する温度下降ステップとを含むことを特徴とする。
また、本発明は、磁気テープが案内される円筒面状の案内面とこの案内面の半径方向内側に設けられた筒状のハウジング部とを有する固定ドラムと、前記ハウジング部に軸受けを介して回転可能に支持される支軸と、前記支軸に前記支軸と一体回転可能に結合され前記磁気テープが案内される円筒面状の案内面と該案内面に設けられた磁気ヘッドを有する回転ドラムと備える回転ヘッドの組み立て方法であって、前記ハウジング部の外径よりも大きい内径の中心孔と、この中心孔の周囲に延在する平坦な環状の載置面と、前記固定ドラムの案内面よりも小さい外周面とを有する環状のブロック部を設け、前記ハウジング部を加熱してその内周面を拡径させた状態とし前記固定ドラムの前記案内面の半径方向の内側部分を前記載置面に載置するとともに、この拡径された前記内周面の中心軸が所定の基準軸と一致させて前記案内面の半径方向の内側部分を前記載置面に固定する固定ドラムの位置決め固定ステップと、前記軸受けが嵌装された前記支軸を、前記支軸の中心軸が前記基準軸と一致するように前記支軸を位置決めしつつ前記軸受けを前記ハウジング部に挿入する挿入ステップと、前記ハウジング部の温度を下げ前記ハウジング部の内周面に前記軸受けの外周面を嵌合固定する温度下降ステップとを含むことを特徴とする。
また、本発明は、磁気テープが案内される円筒面状の案内面とこの案内面の半径方向内側に設けられた筒状のハウジング部とを有する固定ドラムと、前記ハウジング部に軸受けを介して回転可能に支持される支軸と、前記支軸に前記支軸と一体回転可能に結合され前記磁気テープが案内される円筒面状の案内面と該案内面に設けられた磁気ヘッドを有する回転ドラムと備える回転ヘッドの組み立て方法であって、前記支軸の先部が隙間無く挿入される挿入孔と、加熱され拡径された状態の前記ハウジング部の内周面が隙間無く嵌合される外周面とが同軸上に設けられた位置決め部材を、それら挿入孔および外周面の中心軸に沿って移動可能に設け、前記ハウジング部を加熱してその内周面を拡径させた状態とし、前記位置決め部材の外周面を前記ハウジング部の内周面に挿入し、この状態で前記固定ドラムを位置決め固定する固定ドラムの位置決め固定ステップと、前記固定ドラムの位置決め固定ステップの後に前記位置決め部材を前記ハウジング部から抜き出す第１の抜き出しステップと、前記軸受けが嵌装された前記支軸を、前記位置決め部材が位置する箇所とは反対の方向から前記ハウジング部に挿入し、前記支軸の先部を前記位置決め部材の挿入孔に挿入する挿入ステップと、前記ハウジング部の温度を下げ前記ハウジング部の内周面に前記軸受けの外周面を嵌合固定する温度下降ステップと、前記温度下降ステップの後に前記支軸の先部を前記位置決め部材の挿入孔から抜き出す第２の抜き出しステップとを含むことを特徴とする。
また、本発明は、磁気テープが案内される円筒面状の案内面とこの案内面の半径方向内側に設けられた筒状のハウジング部とを有する固定ドラムと、前記ハウジング部に軸受けを介して回転可能に支持される支軸と、前記支軸に前記支軸と一体回転可能に結合され前記磁気テープが案内される円筒面状の案内面と該案内面に設けられた磁気ヘッドを有する回転ドラムと備える回転ヘッドの組み立て方法であって、前記ハウジング部の外径よりも大きい内径の中心孔と、この中心孔の周囲に延在する平坦な環状の載置面と、前記固定ドラムの案内面よりも小さい外周面とを有する環状のブロック部を設け、前記支軸の先部が隙間無く挿入される挿入孔と、加熱され拡径された状態の前記ハウジング部の内周面が隙間無く嵌合される外周面とが同軸上に設けられた位置決め部材を、それら挿入孔および外周面の中心軸に沿って移動可能に設け、前記ハウジング部を加熱してその内周面を拡径させた状態とし前記固定ドラムの前記案内面の半径方向の内側部分を前記載置面に載置するとともに、前記位置決め部材を前記ハウジング部に近づけて前記位置決め部材の外周面を前記ハウジング部の内周面に挿入し、この状態で前記案内面の半径方向の内側部分を前記載置面に固定する固定ドラムの位置決め固定ステップと、前記固定ドラムの位置決め固定ステップの後に前記位置決め部材を前記ハウジング部から抜き出す第１の抜き出しステップと、前記軸受けが嵌装された前記支軸を、前記位置決め部材が位置する箇所とは反対の方向から前記ハウジング部に挿入し、前記支軸の先部を前記位置決め部材の挿入孔に挿入する挿入ステップと、前記ハウジング部の温度を下げ前記ハウジング部の内周面に前記軸受けの外周面を嵌合固定する温度下降ステップと、前記温度下降ステップの後に前記支軸の先部を前記位置決め部材の挿入孔から抜き出す第２の抜き出しステップとを含むことを特徴とする。
また、本発明は、磁気テープが案内される円筒面状の案内面とこの案内面の半径方向内側に設けられた筒状のハウジング部とを有する固定ドラムと、前記ハウジング部に軸受けを介して回転可能に支持される支軸と、前記支軸に前記支軸と一体回転可能に結合され前記磁気テープが案内される円筒面状の案内面と該案内面に設けられた磁気ヘッドを有する回転ドラムと備える回転ヘッドの組み立て装置であって、前記ハウジング部の外径よりも大きい内径の中心孔と、この中心孔の周囲に延在する平坦な環状の載置面と、前記固定ドラムの案内面よりも小さい外周面とを有する環状のブロック部と、前記支軸の先部が隙間無く挿入される挿入孔と、加熱され拡径された状態の前記ハウジング部の内周面が隙間無く嵌合される外周面とが同軸上に設けられ前記中心孔に配置された位置決め部材と、前記位置決め部材を前記中心孔内で該中心孔の軸方向に昇降させる第１の昇降手段と、前記固定ドラムの前記案内面の半径方向の内側部分を前記載置面に載置した状態に固定する固定手段と、前記軸受けが嵌装された前記支軸を、前記位置決め部材が位置する箇所とは反対の方向から前記ハウジング部に挿入し、前記支軸の先部を前記位置決め部材の挿入孔に挿入する第２の昇降手段と、前記ハウジング部の温度の昇降を行う温度昇降手段とを備えることを特徴とする。
【発明の効果】
【０００５】
そのため、本発明の回転ヘッドの組み立て方法によれば、加熱され拡径されたハウジング部の内周面の中心軸と支軸の中心軸とが所定の基準軸と一致された状態で、ハウジング部の内周面を縮径させ、ハウジング部の内周面に軸受けを嵌合固定するので、支軸を固定ドラムに対して高精度に位置決めして固定することができ、回転ドラムの回転精度の向上を図る上で有利となる。
また、本発明の回転ヘッドの組み立て装置によれば、ブロック部と位置決め部材を用いることで、加熱され拡径されたハウジング部の内周面の中心軸と支軸の中心軸とを簡単に合致させることができ、支軸を固定ドラムに対して高精度に位置決めして固定することができ、回転ドラムの回転精度の向上を図る上で有利となる。
【発明を実施するための最良の形態】
【０００６】
回転ドラムの回転精度の向上を図るという目的を、加熱され拡径されたハウジング部の内周面の中心軸と支軸の中心軸とが所定の基準軸と一致された状態で、ハウジング部の内周面を縮径させ、ハウジング部の内周面に軸受けを嵌合固定することによって実現した。
【実施例１】
【０００７】
次に本発明の実施例１について図面を参照して説明する。
まず、本発明によって組み立てられる回転ヘッドとこの回転ヘッドが組み込まれる磁気テープ装置について説明する。
図１は磁気テープ装置１の構成を示す説明図、図２は回転ヘッド２０の構成を示す説明図、図３は回転ヘッド２０の構成を示す断面図である。
図１に示すように、磁気テープ装置１は、図示を省略するテープカセットに収納された磁気記録媒体である磁気テープ２に対して、ヘリカルスキャン方式による画像信号や音声信号などの情報信号の記録および／または再生を行う。
【０００８】
なお、テープカセットは、磁気テープ装置１の装置本体１ａに対して着脱可能とされており、このテープカセットには、磁気テープ２を供給するための供給リール３と、この供給リール３から供給された磁気テープ２を巻き取るための巻き取りリール４とが回転可能に設けられている。
【０００９】
磁気テープ装置１は、テープ走行手段として、装置本体１ａに装着されたテープカセットの供給リール３および巻き取りリール４を回転させるための不図示の駆動機構を備えており、記録時および再生時において、磁気テープ２を図１中矢印Ａ方向に走行させる。また、装置本体１ａには、テープカセットのローディング時に供給リール３と巻き取りリール４との間で磁気テープ２の引き回しを行う複数のガイドローラ５ａ〜５ｆが設けられている。
【００１０】
また、ガイドローラ５ｅとガイドローラ５ｆがとの間には、磁気テープ２が掛け合わされたピンチローラ５ｇと、このピンチローラ５ｇと共に磁気テープ２を挟み込むキャップスタン６とが設けられている。
このキャップスタン６は、磁気テープ２を常に一定の速度で走行させるためのものであり、テープ走行時にキャップスタンモータ６ａにより回転駆動される。
したがって、磁気テープ２は、キャップスタンモータ６ａによりキャップスタン６が図１中矢印Ｂ方向に回転駆動されることによって、図１中矢印Ａ方向に一定の速度および張力で送り出されることになる。
【００１１】
また、ローラ５ｃとローラ５ｄとの間には、磁気テープ２に対して信号の記録および／または再生を行う回転ヘッド２０が設けられている。
【００１２】
この回転ヘッド２０は、図２、図３に示すように、上下方向に組み合わされた一組の回転ドラム２１および固定ドラム２２と、固定ドラム２２に対して回転ドラム２１を回転駆動する駆動モータ２３とを備え、互いの中心軸を一致させた状態で装置本体１ａのベースに対してやや斜めに傾斜した状態で配置されている。
【００１３】
回転ドラム２１および固定ドラム２２は、略一致した外径を有しており、上下方向に組み合わされることによって、互いに連続した円筒面状の案内面２１ａ、２２ａを形成している。
また、回転ドラム２１は、固定ドラム２２の下方に配置された駆動モータ２３によって図２中矢印Ｃ方向に回転駆動される。
そして、磁気テープ２は、これら回転ドラム２１および固定ドラム２２の案内面２１ａ、２２ａに、略１８０度の角度範囲に亘ってヘリカル状に掛け合わされて走行される。
このため、固定ドラム２２の案内面２２ａには、磁気テープ２を案内するリードと呼ばれるガイド部２２ｂが形成されており、このガイド部２２ｂに沿って磁気テープ２が回転ドラム２１の回転方向に対して斜めに走行されることになる。
【００１４】
回転ドラム２１は、例えばアルミニウム合金などの金属材料が略円筒状に形成されてなり、その中心部には、支軸２４に取り付けられるハブ部２５が設けられている。
この回転ドラム２１は、ハブ部２５の中心孔２５ａに支軸２４の一端が圧入されることによって支軸２４に一体回転可能に取り付けられることで支軸２４で支持されている。
支軸２４は、一対の軸受け２６ａ、２６ｂを介して固定ドラム２２のハウジング部３５で回転可能に支持されている。
一対の軸受け２６ａ、２６ｂは、支軸２４の軸回りに形成された溝部２４ａ、２４ｂに嵌合された鋼球２７ａ、２７ｂと、この鋼球２７ａ、２７ｂを保持する外輪２８ａ、２８ｂとで構成されている。
また、一対の軸受け２６ａ、２６ｂの間で支軸２４に巻装してコイルばね２９が設けられており、このコイルばね２９は一対の軸受け２６ａ、２６ｂを互いに離間する方向に付勢している。
したがって、一対の軸受け２６ａ、２６ｂは、内輪を持たない支軸２４と一体化された構造によって回転精度を向上させ、コイルばね２９の付勢によって支軸２４と外輪２８ａ、２８ｂとの隙間を無くし、回転時のガタツキの発生を防止している。
【００１５】
また、回転ドラム２１の上面には、プラスチックからなるバランスリング３０がハブ部２５に嵌合された状態で両面接着テープなどによって取り付けられている。
このバランスリング３０には、径の異なる複数の孔部３０ａが形成されており、これら孔部３０ａに鋼球３１を圧入することで回転ドラム２１側の回転バランスが調整可能となっている。
【００１６】
また、回転ドラム２１には、磁気テープ２に対して信号の記録動作を行う一対の記録用の磁気ヘッド（以下記録ヘッドという）３２ａ、３２ｂと、磁気テープ２に対して信号の再生動作を行う一対の再生用の磁気ヘッド（以下再生ヘッドという）３３ａ、３３ｂとが、回転ドラム２１の案内面２１ａから先端部が臨むようにねじ止めによって取り付けられている。
また、一方の記録ヘッド３２ａおよび再生ヘッド３３ａと、他方の記録ヘッド３２ｂおよび再生ヘッド３３ｂとは、回転ドラム２１の案内面２１ａにおいて、この回転ドラム２１の回転中心に対して互いになす角度が１８０度となる位相差をもって、互いに対向配置されている。
また、これら記録ヘッド３２ａ、３２Ｂおよび再生ヘッド３３ａ、３３ｂは、磁気テープ２に対してアジマス記録を行えるように、その先端部に位置する磁気ギャップが当該ヘッドの操作方向と直交する方向に対してアジマス角に応じて斜めとなるように配置されている。
【００１７】
また、回転ドラム２１と固定ドラム２２との間には、これら記録ヘッド３２ａ、３２ｂおよび再生ヘッド３３ａ、３３ｂに対する信号の授受を行う回転トランス３４が設けられている。
この回転トランス３４は、回転ドラム２１側に接着により取り付けられたロータ側トランス３４ａと、固定ドラム２２側に接着により取り付けられたステータ側トランス３４ｂとを有し、これらロータ側トランス３４ａとステータ側トランス３４ｂとが互いに対向配置された構造を有している。
【００１８】
固定ドラム２２は、例えばアルミニウム合金などの金属材料が略円筒状に整形されてなる。
この固定ドラム２２は、回転ドラム２１と略同径であり、回転ドラム２１と同軸上に位置して支軸２４を回転可能に支持する。
固定ドラム２２の案内面２２ａの半径方向内側には筒状のハウジング部３５が設けられ、固定ドラム２２の案内面２２ａの中心軸と筒状のハウジング部３５の中心軸とは合致している。
案内面２２ａの内周面箇所とハウジング部３５の外周面箇所とは、環板部２２５０で連結されており、環板部２２５０の厚さ方向の一方の面は、案内面２２ａの中心軸および筒状のハウジング部３５の中心軸に対して直交する面上に位置する平坦な面２２５０ａとして形成されている。
ハウジング部３５によって上述した一対の軸受け２６ａ、２６ｂが保持されている。具体的には、ハウジング部３５の内周面３５０２に軸受け２６ａ、２６ｂの外輪２８ａ、２８ｂの外周面２６０２、２６０４が嵌合され固定されている。
このハウジング部３５は、回転ドラム２１側の軸受け２６ａが保持される上スリーブ部３６ａと、固定ドラム側２２側の軸受け２６ｂが保持される下スリーブ部３６ｂとを有している。
【００１９】
軸受け２６ａの外輪２８ａおよび軸受け２６ｂの外輪２８ｂは、上スリーブ部３６ａ、下スリーブ部３６ｂにそれぞれ嵌合された後に、接着剤によって固定されている。
このため、上スリーブ部３６ａの内周面には、その全周に亘って接着剤が注入される上環状溝部３７が形成されている。また、この上環状溝部３７に接着剤を注入するための流路として、上スリーブ部３６ａには、外周面から上環状溝３７に臨む注入孔３８が形成されている。
同様に、下スリーブ部３６ｂの内周面には、その全周に亘って接着剤が注入される下環状溝３９が形成されている。また、この下環状溝部３９に接着剤を注入するための流路として、下スリーブ部３６ｂの内周面には、互いに対向する位置から支軸２４の軸方向に沿って一対の注入溝４０が形成されている。
これら一対の注入溝４０は、下スリーブ部３６ｂの外周面から下環状溝３９に臨む注入孔を形成する場合に比べて、下スリーブ部３６ｂの強度を確保することができ、下環状溝部３９までの流路を短くすることができる。
そして、下環状溝部３９に接着剤を注入する際は、一方の注入溝４０から吸引を行いながら、他方の注入溝３０から接着剤を注入する。
これにより、接着剤を下環状溝３９の全周に亘ってスムーズかつ容易に注入することができる。
【００２０】
駆動モータ２３は、固定ドラム２２を貫通する支軸２４の他端に取り付けられて支軸２４と一体に回転駆動されるとともに、固定ドラム２２と対向する主面とは反対側の主面にマグネット４１が取り付けられたロータ４２と、ロータ４２のマグネット４１と所定の間隔で対向配置されるとともに、ロータ４２に取り付けられてロータ４２と磁路を形成するヨーク４３と、ヨーク４３とロータ４２のマグネット４１との間に位置して固定ドラム２２に取り付けられ、マグネット４１と対向する主面に不図示のコイルが取り付けられたステータ４４とを有している。
【００２１】
ロータ４２は、軟磁性材料が略円盤状に成形されてなり、その中心部には、支軸２４に取り付けられるボス部４５が設けられている。
このボス部４５は、固定ドラム２２と対応する主面とは反対側に向かって略円筒状に突出成形されてなり、このボス部４５の中心孔４５ａに固定ドラム２２を貫通する支軸２４の他端が圧入されることによって、ロータ４２が支軸２４に取り付けられている。
また、ロータ４２は、ボス部４５の周囲にヨーク４３が取り付けられる平坦なヨーク取り付け面部４６を有しており、このヨーク取り付け面部４６には、一対の突部４７ａ、４７ｂがボス部４５を中心とした同一円周上の互いに対向する位置からそれぞれ突出形成されている。
また、ロータ４２は、ヨーク取り付け面部４６の周囲を囲むようにして、このヨーク取り付け面部４６よりも一段低くなされたマグネット取り付け面部４８を有しており、このマグネット取り付け面部４８の固定ドラム２２と対向する主面とは反対側の主面に略円環状のマグネット４１が取り付けられている。
【００２２】
ヨーク４３は、軟磁性材料が略円盤状に成形されてなり、その中心部にロータ４２のボス部４５に遊嵌されるボス部４９と、このボス部４９を中心とした同一円周上に上述したロータ４２の一対の突部４７が遊嵌される一対の孔部５０ａ、５０ｂとを有している。
ボス部４９は、ロータ４２と対向する主面とは反対側に向かって略円筒状に突出形成されており、このボス部４９の中心部４９ａにロータ４２のボス部４５が遊嵌されるとともに、一対の孔部５０ａ、５０ｂにロータ４２の一対の突部４７ａ、４７ｂが遊嵌された状態となっている。
ヨーク４３は、この状態でロータ４２のマグネット４１と所定の間隔で対向配置されており、マグネット４１に磁気吸引されることによって、ボス部４９の周囲がヨーク取り付け面部４６に吸引され、この状態でヨーク取り付け面部４６に接着剤によって固定される。
【００２３】
ステータ４４は、略円盤状に成形されてなり、ヨーク４３とロータ４２のマグネット４１との間に位置して、その外周部が固定ドラム２２の下端部に接着によって取り付けられている。
また、ステータ４４には、銅箔などにより薄膜コイルがパターン形成されている。また、ステータ４４には、外部の駆動回路と不図示のフレキシブルケーブルを介して電気的に接続される接続端子４４ａが固定ドラム２２の案内面２２ａから突出して設けられており、この接続端子４４ａからコイルに駆動電流が供給されことになる。
【００２４】
そして、この駆動モータ２３では、前記駆動回路からステータ４４の前記コイルに接続端子４４ａを介して駆動電流が供給されると、コイルに磁界が発生し、このコイルと対向するマグネット４１との電磁気的な作用によって、ロータ４２が支軸２４と一体に回転駆動される。
これにより、駆動モータ２３は、回転ドラム２１を支軸２４と一体に回転駆動させることができる。
【００２５】
以上のように構成される磁気テープ装置１では、回転ドラム２１および固定ドラム２２の案内面２１ａ、２２ａに掛け合わされた磁気テープ２が図１中矢印Ａ方向に走行されながら、駆動モータ２３により回転ドラム２１が図１中矢印Ｃ方向に回転駆動されることによって、この回転ドラム２１に搭載された一対の記録ヘッド３２ａ、３２ｂおよび一対の再生ヘッド３３ａ、３３ｂが磁気テープ２と摺動しながら、信号の記録および／または再生動作を行う。
【００２６】
次に、回転ヘッド２０の組み立て装置２００について説明する。
図４は回転ヘッド２０の組み立て装置２００の構成を示す斜視図、図５〜図９は組み立て装置２００の動作説明図である。
図４〜図９に示すように組み立て装置２００は基台１００を備え、基台１００には、固定ドラム２２が載置されるブロック部１１０と、温度昇降手段としての不図示のヒータと、固定ドラム２２および支軸２４の位置決めを行う位置決め部材１２０と、位置決め部材１２０を昇降する不図示の第１の昇降手段と、固定ドラム２２をブロック部１１０に対して固定する不図示の固定手段と、支軸２４および軸受け３６ａ、３６ｂを昇降する第２の昇降手段１３０とが設けられている。
【００２７】
ブロック部１１０は、基台１００の上面１０２の中央から突出され、固定ドラム２２のハウジング部３５の外径よりも大きい内径の中心孔１１０２と、この中心孔１１０２の周囲に延在する平坦な環状の載置面１１０４と、固定ドラム２２の案内面２２ａよりも小さい外周面１１０６とを有し環状を呈し、載置面１１４０は、中心孔１１０２の中心軸に対して直交する面上に延在している。
ブロック部１１０には、前記ヒータが組み込まれ、固定ドラム２２の案内面２２ａの半径方向の内側部分がブロック部１１０の載置面１１０４に載置された状態でブロック部１１０を前記ヒータで加熱することにより、ハウジング部３５の温度を上昇させるように構成されている。
図４に示すように、基台１００には、ブロック部１１０を囲むように断熱カバー１４０が設けられ、この断熱カバー１４０によって、前記ヒータによって加熱されたブロック部１１０および固定ドラム２２の温度を保持するように構成されている。
【００２８】
位置決め部材１２０は、本実施例では軸状を呈し、支軸２４の先部２４０２が隙間無く挿入される挿入孔１２０２と、加熱され拡径された状態のハウジング部３５の内周面３５０２が隙間無く嵌合される外周面１２０４とを有し、これら挿入孔１２０２と外周面１２０４は同軸上に設けられている。
位置決め部材１２０は、ブロック部１１０の中心孔１１０２に、それら挿入孔１２０２と外周面１２０４の中心軸を合致させた状態で（あるいは中心孔１１０２に、それら挿入孔１２０２と外周面１２０４の中心軸を平行させた状態で）中心孔１１０２の軸方向に昇降可能に配置されている。
前記第１の昇降手段は、位置決め部材１２０を中心孔１１０２の軸方向に昇降させるように構成され、前記第１の昇降手段は、例えば、エアシリンダなどの従来公知の機構を採用して構成される。
前記固定手段は、固定ドラム２２の案内面２２ａの半径方向の内側部分を載置面１１０４に載置した状態に固定するものであって、前記固定手段は、例えば、エアクランプなどの従来公知の機構を採用して構成される。
【００２９】
第２の昇降手段１３０は、基台１００の上方に配置され、軸受け２６ａ、２６ｂが嵌装された支軸２４を、位置決め部材１２０が位置する箇所とは反対の方向からハウジング部３５に挿入し、支軸２４の先部２４０２を位置決め部材１２０の挿入孔１２０２に挿入するように構成されている。
具体的に説明すると、第２の昇降手段１３０は、図７に示すように、ヘッド１３０１を備え、ヘッド１３０１には、支軸２４のうち回転ドラム２１と反対側に位置する基部２４０４が挿入された状態で基部２４０４を吸引して保持する孔部１３０２と、孔部１３０２に軸部１３０４を出没させるソレノイド１３０６とが設けられている。
ソレノイド１３０６は、軸部１３０４が孔部１３０２に挿入された基部２４０４の外周面を当接して押圧することで支軸２４が孔部１３０２から脱落しないように保持するとともに、軸部１３０４の基部２４０４への当接を解除することで支軸２４を孔部１３０２から取り外しできるように構成されている。
【００３０】
次に、固定ドラム２２に支軸２４および軸受け２６ａ、２６ｂを組み付ける組み立て方法について説明する。
まず、固定ドラム２２の位置決め固定ステップを行う。
すなわち、予め固定ドラム２２を予備加熱により加熱しハウジング部３５の内周面３５０２を拡径させた状態とし、図５に示すように、固定ドラム２２の案内面２２ａの半径方向の内側部分である環板部２２５０の面２２５０ａを載置面１１０４に載置する。
この状態で固定ドラム２２のハウジング部３５のうち上スリーブ部３６ａが中心孔１１０２内に挿入されており、上スリーブ３６ａの外周面と中心孔１１０２の内周面との間には間隙が形成されており、前記ヒータによりハウジング部３５は加熱されハウジング部３５の内周面３５０２が拡径された状態が維持されている。
そして、図６に示すように、位置決め部材１２０をハウジング部３５の上スリーブ部３６ａに近づけて位置決め部材１２０の外周面１２０４をハウジング部３５の内周面３５０２に挿入する。これにより、拡径された内周面３５０２の中心軸と位置決め部材１２０の中心軸とが合致される。本実施例では、位置決め部材１２０の中心軸が所定の基準軸であり、したがって拡径された内周面３５０２の中心軸が所定の基準軸に合致された状態で固定ドラム２２が位置決めされることになる。
この状態で前記固定手段によって、環板部２２５０を載置面１１０４に固定する。
【００３１】
次に、第１の抜き出しステップを行う。すなわち、上述した固定ドラムの位置決め固定ステップの後に、図７に示すように、前記第１の昇降手段によって位置決め部材１２０をその中心軸に沿って移動させ位置決め部材１２０をハウジング部３５から抜き出す。すなわち、位置決め部材１２０の中心軸の位置をずらすことなくハウジング部３５から抜き出す。
【００３２】
次に、挿入ステップを行う。すなわち、図８に示すように、第２の昇降手段１３０によって軸受け２６ａ、２６ｂが嵌装された支軸２４を、位置決め部材１２０が位置する箇所とは反対の方向からハウジング部３５の下スリーブ３６ｂに挿入し、支軸２４の先部２４０２を位置決め部材１２０の挿入孔１２０に挿入し、図９に示すように第２の昇降手段１３０を支軸２４から取り外す。
これにより、支軸２４の中心軸が位置決め部材１２０の中心軸すなわち所定の基準軸と一致するように支軸２４が位置決めされ、その状態で、軸受け２６ａ、２６ｂがハウジング部３５に挿入されることになる。
したがって、固定ドラム２２の拡径された内周面３５０２の中心軸と支軸２４の中心軸とが位置決め部材１２０の中心軸すなわち所定の基準軸と一致された状態となる。
【００３３】
次に、温度下降ステップを行う。すなわち、前記ヒータをオフとすることで、ハウジング部３５の温度を下げハウジング部３５の内周面３５０２を縮径させ、ハウジング部３５の内周面３５０２に軸受け２６ａ、２６ｂの外周面２６０２、２６０４を嵌合固定する。
そして、第２の抜き出しステップを行う。すなわち、前記第１昇降手段によって前記温度下降ステップの後に支軸２４の先部２４０２を位置決め部材１２０の挿入孔１２０２から抜き出す。
【００３４】
温度下降ステップの後、前記固定手段による固定ドラム２２の固定を解除し、軸受け２６ａ、２６ｂが組み込まれた状態の固定ドラム２２をブロック部１１０上から取り外し、室温に保たれた環境に搬送して放置することで軸受け２６ａ、２６ｂおよび固定ドラム２２を室温程度まで冷却する。
室温程度までに冷却されたならば、接着ステップを行う。すなわち、前述したように、上スリーブ部３６ａの注入孔３８から上スリーブ部３６ａの内周面に形成された上環状溝部３７に接着剤を注入するとともに、下スリーブ部３６ｂの注入溝４０から下スリーブ部３６ｂの内周面に形成された下環状溝３９に接着剤を注入することによって、ハウジング部３５の内周面３５０２と軸受け２６ａ、２６ｂの外周面２６０２、２６０４とを接着剤で固定する。
以上のステップにより支軸２４が嵌装された軸受け２６ａ、２６ｂの固定ドラム２２に対する組み付けが完了する。
【００３５】
本実施例の組み立て方法によれば、固定ドラム２２の拡径された内周面３５０２の中心軸と支軸２４の中心軸とが位置決め部材１２０の中心軸すなわち所定の基準軸と一致された状態で、ハウジング部３５の内周面３５０２を縮径させ、ハウジング部３５の内周面３５０２に軸受け２６ａ、２６ｂの外周面２６０２、２６０４を嵌合固定するので、支軸２４を固定ドラム２２に対して高精度に位置決めして固定することができ、回転ドラム２１の回転精度の向上を図る上で有利となる。
したがって、回転ドラム２１の磁気ヘッドによって磁気テープに対して信号の記録および再生に関わる特性の向上を図る上で有利となる。
また、本発明の組み立て装置によれば、ブロック部と位置決め部材を用いることで、加熱され拡径されたハウジング部３５の内周面３５０２の中心軸と支軸２４の中心軸とを簡単にしかも高精度に合致させることができ、したがって、支軸２４を固定ドラム２２に対して高精度に位置決めして固定することができ、回転ドラム２１の回転精度の向上を図る上で有利となる。
したがって、回転ドラム２１の磁気ヘッドによって磁気テープに対して信号の記録および再生に関わる特性の向上を図る上で有利となる。
【００３６】
なお、本実施例では、固定ドラム２２の環板部２２５０を載置するブロック部１１０と、固定ドラム２２および支軸２４の位置決めを行う位置決め部材１２０とを用いた場合について説明したが、これらブロック部１１０や位置決め部材１２０の構成は実施例の構造に限定されず、従来公知の様々な構成が採用可能である。
また、本発明は、固定ドラム２２の環板部２２５０を載置するブロック部１１０と、固定ドラム２２および支軸２４の位置決めを行う位置決め部材１２０の双方を用いる構成に限定されるものではない。例えば、ブロック部１１０を用いかつ位置決め部材１２０を用いず、環板部２２５０をブロック部１１０に載置した状態で、従来公知の様々な構成によりハウジング部３５と支軸２４とを位置決めしてもよいし、あるいは、位置決め部材１２０を用いかつブロック部１１０を用いず、従来公知の様々な構成により固定ドラム２２を保持し固定するようにしてもよい。
ただし、実施例のようにブロック部１１０および位置決め部材１２０の双方を用いると、組み立て装置２００の簡単化、コストダウンを図る上で極めて有利である。
【図面の簡単な説明】
【００３７】
【図１】磁気テープ装置１の構成を示す説明図である。
【図２】回転ヘッド２０の構成を示す説明図である。
【図３】回転ヘッド２０の構成を示す断面図である。
【図４】回転ヘッド２０の組み立て装置２００の構成を示す斜視図である。
【図５】固定ドラム２２の位置決め固定ステップの動作説明図である。
【図６】固定ドラム２２の位置決め固定ステップの動作説明図である。
【図７】第１の抜き出しステップの動作説明図である。
【図８】挿入ステップの動作説明図である。
【図９】挿入ステップの動作説明図である
【符号の説明】
【００３８】
２０……回転ヘッド、２１……回転ドラム、２２……固定ドラム、２２ａ……案内面、３５……ハウジング部、２４……支軸、２６ａ、２６ｂ……軸受け、１１０……ブロック部、１１０２……中心孔、１１０４……載置面、１２０……位置決め部材、１２０２……挿入孔、１２０４……外周面、１３０……第２の昇降手段、２００……回転ヘッドの組み立て装置。
【図１】
2006012288.tif 000003
【図２】
2006012288.tif 000004
【図３】
2006012288.tif 000005
【図４】
2006012288.tif 000006
【図５】
2006012288.tif 000007
【図６】
2006012288.tif 000008
【図７】
2006012288.tif 000009
【図８】
2006012288.tif 000010
【図９】
2006012288.tif 000011